(57)【特許請求の範囲】
【請求項１】
顕微鏡の光路に挿脱可能に配置され、明視野照明光の一部を反射し、標本からの観察光の一部を透過する明視野用ハーフミラーと、
前記光路に挿脱可能に配置され、暗視野照明光を反射させ、前記標本からの観察光を透過させる暗視野用中空ミラーであって、前記暗視野照明光と前記標本からの観察光とを隔てる筒状の第１の遮光部材を備えた暗視野用中空ミラーと、
前記暗視野用中空ミラーとは別部材であって、前記第１の遮光部材に対して離れて配置され、前記暗視野照明光と前記標本からの観察光とを隔てる第２の遮光部材とを有し、
前記第２の遮光部材は、前記暗視野用中空ミラーの挿入に応じて、前記暗視野照明光を前記標本に照射する対物レンズと前記暗視野用中空ミラーにおける前記第１の遮光部材の前記標本側の端面との間に挿入され、前記明視野用ハーフミラーの挿入に応じて、脱却されることを特徴とする顕微鏡。
【請求項２】
前記第２の遮光部材は、円筒状であり内壁に遮光線が形成された構造であることを特徴とする請求項１に記載の顕微鏡。
【請求項３】
前記明視野用ハーフミラーおよび前記暗視野用中空ミラーは、それぞれフィルタブロックに納められており、前記第２の遮光部材は、前記暗視野用中空ミラーが納められている暗視野用フィルタブロックと一体的に形成されていることを特徴とする請求項１又は２に記載の顕微鏡。
【発明の詳細な説明】
【技術分野】
【０００１】
本発明は、暗視野観察と明視野観察を切替えて使用可能な顕微鏡に関する。
【背景技術】
【０００２】
顕微鏡の暗視野観察では、観察方法の特性上明るい照明光を必要とする。一方標本からの観察光の光量は、照明光の光量と比較すると少ないために、照明光が観察光に少しでも混入するとフレアとなってしまう。その為、顕微鏡の鏡筒内に遮光部材を配置し、暗視野観察時に照明光が観察光に混入するのを防止している（例えば、特許文献１、図９参照）。
【特許文献１】特許第３０８０３９３号公報
【発明の開示】
【発明が解決しようとする課題】
【０００３】
従来の顕微鏡では、顕微鏡の鏡筒内にチューブ状の遮光部材を固定的に配置しているために、明視野観察時にこの遮光部材により観察光に部分的なケラレが生じ、像面での周辺減光が発生するという問題がある。
【０００４】
本発明は、上記課題に鑑みて行われたものであり、暗視野観察時にはフレアを防止し、かつ明視野観察時にはケラレによる周辺減光を防止し、両者とも良好な観察像を得ることの出来る顕微鏡を提供することを目的とする。
【課題を解決するための手段】
【０００５】
上記課題を解決するため、本発明は、
顕微鏡の光路に挿脱可能に配置され、明視野照明光の一部を反射し、標本からの観察光の一部を透過する明視野用ハーフミラーと、
前記光路に挿脱可能に配置され、暗視野照明光を反射させ、前記標本からの観察光を透過させる暗視野用中空ミラーであって、前記暗視野照明光と前記標本からの観察光とを隔てる筒状の第１の遮光部材を備えた暗視野用中空ミラーと、
前記暗視野用中空ミラーとは別部材であって、前記第１の遮光部材に対して離れて配置され、前記暗視野照明光と前記標本からの観察光とを隔てる第２の遮光部材とを有し、
前記第２の遮光部材は、前記暗視野用中空ミラーの挿入に応じて、前記暗視野照明光を前記標本に照射する対物レンズと前記暗視野用中空ミラーにおける前記第１の遮光部材の前記標本側の端面との間に挿入され、前記明視野用ハーフミラーの挿入に応じて、脱却されることを特徴とする顕微鏡を提供する。
【発明の効果】
【０００６】
本発明によれば、暗視野観察時にはフレアを防止し、かつ明視野観察時にはケラレによる周辺減光を防止し、両者とも良好な観察像を得ることの出来る顕微鏡を提供することができる。
【発明を実施するための最良の形態】
【０００７】
以下、本発明の一実施の形態にかかる顕微鏡について図面を参照しつつ説明する。なお、以下の実施の形態は、発明の理解の容易化のためのものに過ぎず、本発明の技術的思想を逸脱しない範囲において当業者により実施可能な付加・置換等を施すことを排除することは意図していない。この点に関しては補正・訂正後においても同様である。
【０００８】
図１は、実施の形態にかかる顕微鏡の側面図である。
【０００９】
図１において、ランプハウス１１からの照明光は、照明光学系１２を介して後述する暗視野観察用のフィルタブロック１３（以後、「暗視野ブロック」と記す）に導かれる。暗視野ブロック１３中の後述する中空ミラーで反射された照明光は、対物レンズ１４外周部の暗視野照明光路に入射し、前記暗視野照明光路を介してステージ１５に載置された標本１６に照射される。なお、対物レンズ１４はレボルバ１９に配置されて、適宜交換可能になっている。
【００１０】
標本１６からの光は、対物レンズ１４で集光され、暗視野ブロック１３の中空ミラーの中空部分を通過して、結像光学系１７を介して接眼レンズ１８で観察者に標本像が観察される。この様にして、暗視野観察可能な顕微鏡１が構成されている。また、顕微鏡１は、暗視野ブロック１３を後述する明視野用のフィルタブロック４１に交換することで明視野観察が可能となる。
【００１１】
なお、以降の説明では倒立型顕微鏡１を元に説明するが、倒立型顕微鏡に限定されないことは言うまでもない。また、標本１６への照明は落射照明に限定されず透過照明であっても良い。また、顕微鏡１のフィルタブロックは、顕微鏡１の光路に挿脱可能に構成され、暗視野ブロック１３と明視野用のフィルタブロック４１とを適宜光路に挿脱することで暗視野観察と明視野観察とを容易に切替えることが可能である。なお、フィルタブロックは挿脱に限定されず他の交換可能な機構を用いることも可能である。
【００１２】
次に、顕微鏡１における暗視野観察、或いは明視野観察について説明する。図２は暗視野観察状態を示し、図３は明視野観察状態を示す。なお、以下の説明において、顕微鏡１を構成する筐体は図示、及び説明を省略している。
【００１３】
図２において、ランプハウス１１からの照明光は、暗視野用レンズ２１でリング状の光束にされ、暗視野ブロック１３の暗視野用中空ミラー２２（以後、「中空ミラー」と記す）に入射する。中空ミラー２２で反射された光束は対物レンズ１４の外周部を通り対物レンズ１４の先端近傍に配置されたリング状のミラー１４ａで反射され標本１６に照射される。
【００１４】
また対物レンズ１４の内部には、暗視野観察時に照明光の混入を防止するための円筒状の遮蔽部材１４ｂが配置されている。遮蔽部材１４ｂは照明光と観察光とを分離する働きをする。
【００１５】
標本１６からの観察光は対物レンズ１４により集められ略平行光にされ、遮蔽部材１４ｂの内側の光路を通過し、暗視野ブロック１３に入射し、中空ミラー２２の中空部を通り、第２対物レンズ２３により像面２４に結像される。
【００１６】
また、暗視野観察時には、遮光部材３１が暗視野ブロック１３と対物レンズ１４との間の光路中に配置される。この遮光部材３１は、光路に挿脱可能に構成され、暗視野ブロック１３を光路に挿入したときに光路に挿入する。そして遮光部材３１は照明光と観察光とを分離する働きをする。なお、遮光部材３１は、暗視野ブロック１３の挿入に連動して挿脱するようにしても良いし、暗視野ブロック１３を遮光部材３１に一体的に形成して挿脱するようにしても良いし、それぞれ個別に挿脱するようにしても良い。
【００１７】
しかし、内壁の表面形状が滑らかな遮光部材を置いただけだと、暗視野観察時に内壁で反射した光が観察項に混入してフレアとなる可能性がある。従って、遮光部材３１の内壁には遮光線が設けられていることが望ましい。
【００１８】
このように暗視野観察時には遮光部材３１が光路に挿入されているために照明光によるフレアの無い良好な暗視野画像を得ることが出来る。
【００１９】
次に、明視野観察状態について図３を参照しつつ説明する。
【００２０】
図２に示す暗視野観察状態から図３に示す明視野観察状態への切替は、暗視野ブロック１３を光路から抜き取り明視野用のフィルタブロック４１（以後、「明視野ブロック」と記す）を光路に挿入する。暗視野用レンズ２１は暗視野ブロック１３と共に光路から抜き取られる。また、遮光部材３１も暗視野ブロック１３と共に光路から抜き取られる。この様に、暗視野用ブロック１３（暗視野用レンズ２１を含む）と明視野用ブロック４１とを交換することで明視野観察が可能になる。なお、両ブロック１３、４１、及び遮光部材３１の光路中への挿脱は、手動で行っても良いし、公知の交換手段を用いて自動で行っても良い。
【００２１】
図３において、ランプハウス１１からの照明光は、明視野ブロック４１のハーフミラー４２に入射し、ハーフミラー４２で対物レンズ１４方向に反射され、対物レンズ１４を介して標本１６を照明する。標本１６からの観察光は対物レンズ１４により集光され、明視野ブロック４１に戻り、一部がハーフミラー４２を通過して第２対物レンズ２３で像面２４に結像される。
【００２２】
この際、暗視野照明光と観察光を隔てる円筒状の遮光部材３１（図中破線で示す）があると、図中黒塗りで示す光束がこの遮光部材３１でケラレ、像面２４において周辺減光が発生するが、本実施の形態にかかる顕微鏡１では、明視野観察時には遮光部材３１が光路から除かれているため、図中黒塗りで示す光束がケラレることが無い。これにより周辺減光の無い良好な明視野画像を得ることが出来る。
【００２３】
次に、実施の形態にかかる顕微鏡１に使用される暗視野ブロック１３、及び遮光部材３１の挿脱構成の一構成例について図４を参照しつつ説明する。図４は光路に挿脱可能に構成された暗視野ブロック、及び遮光部材の一構成例を示す図である。なお、顕微鏡１の筐体は図示を省略している。
【００２４】
図４において、顕微鏡１の筐体には暗視野ブロック１３を挿脱可能にするメスアリ部５１ａを有する支持部材５１が固定されている。暗視野ブロック１３にはメスアリ部５１ａに摺動可能に形成されたオスアリ部５２ａを有する支持部材５２を有し、この支持部材５２に暗視野ブロック１３が固定されている。
【００２５】
また、支持部材５１の対物レンズ１４側の顕微鏡１の筐体には、遮光部材３１を挿脱可能にするメスアリ部５４ａを有する支持部材５４が固定されている。遮光部材３１にはメスアリ部５４ａに摺動可能に形成されたオスアリ部５３ａを有する支持部材５３を有し、この支持部材５３に遮光部材３１が固定されている。なお、支持部材５１、５２、５３、５４には、光束を通すための開口部５１ｂ、５２ｂ、５３ｂ、５４ｂがそれぞれ設けられている。
【００２６】
暗視野ブロック１３を光路に挿脱する際には、オスアリ部５２ａをメスアリ部５１ａに係合させ、図中紙面垂直方向に支持部材５２を移動させることで達成できる。また、遮光部材３１を光路に挿脱する際には、オスアリ部５３ａをメスアリ部５４ａに係合させ、図中紙面垂直方向に支持部材５４を移動させることで達成できる。
【００２７】
なお、明視野ブロック４１にも暗視野ブロック１３と同様の支持部材５２を持たせておくことで、光路中への交換挿脱を達成することが出来る。
【００２８】
また、暗視野ブロック１３の筐体１３ａに遮光部材３１を固定し一体的に形成することで暗視野ブロック１３と遮光部材３１とを一緒に光路に挿脱可能に構成することも出来る。この構成では、上記支持部５３、５４は不要となる。
【００２９】
更に、暗視野ブロック１３の筐体１３ａ又は遮光部材３１に突出可能な契合ピン等を設けておき、外部からの切替操作によってピンが突出したときは暗視野ブロック１３と遮光部材３１が一体化するような構造としておくことで、暗視野ブロック１３と遮光部材３１とを同時に光路へ挿脱可能とする構成と、別々に挿脱可能な構成とを切替えることができる。
【００３０】
なお、フィルタブロック１３、４１、及び遮光部材３１の交換・挿脱手段は上記に限らず適宜変更できることは言うまでもない。また、手動に限らず自動で行うようにすることも出来る。
【００３１】
以上述べたように、実施の形態にかかる顕微鏡１によれば、光路に挿脱可能に構成された暗視野ブロック１３、遮光部材３１、及び明視野ブロック４１を用いることにより、暗視野観察時には暗視野ブロック１３及び遮光部材３１を光路に挿入することでフレアのない良好な暗視野画像を得ることが出来き、明視野観察時には暗視野ブロック３１を明視野ブロック４１に交換し、かつ遮光部材３１を光路から除くことでケラレによる周辺減光のない良好な明視野画像を得ることが出来る。
【図面の簡単な説明】
【００３２】
【図１】実施の形態にかかる顕微鏡の側面図である。
【図２】暗視野観察状態を示す。
【図３】明視野観察状態を示す。
【図４】暗視野ブロック、及び遮光部材の一構成例を示す。
【符号の説明】
【００３３】
１    顕微鏡
１１  ランプハウス
１２  照明光学系
１３  フィルタブロック（暗視野ブロック）
１４  対物レンズ
１５  ステージ
１６  標本
１７  結像光学系
１８  接眼レンズ
１９  レボルバ
２１  暗視野用レンズ
２２  暗視野用中空ミラー（中空ミラー）
２３  第２対物レンズ
２４  像面
３１  遮光部材
４１  フィルタブロック（明視野ブロック）
４２  ハーフミラー
５１，５２，５３，５４  支持部材
【図１】
0005245417.tif 000002
【図２】
0005245417.tif 000003
【図３】
0005245417.tif 000004
【図４】
0005245417.tif 000005